(57)【特許請求の範囲】
【請求項１】
駆動信号の出力および直流電源の供給を行う第１の基板と、
前記駆動信号を出力するための信号線および前記直流電源を供給するための電源供給線によって前記第１の基板と接続されており、前記第１の基板から前記信号線を介して出力された前記駆動信号および前記第１の基板から前記電源供給線を介して供給された前記直流電源によって電子部品を駆動する第２の基板とが備えられており、
前記第１の基板には、
前記直流電源を分圧した第１の電源電圧と、前記駆動信号の電圧を分圧した第１の信号電圧とを比較する第１の比較回路と、
前記第１の比較回路の出力端子と前記電源供給線との間に接続され、前記第１の比較回路による比較結果に対応して点灯する第１の発光ダイオードと、が接続されており、
前記第２の基板には、
前記第１の基板から前記電源供給線を介して出力された前記直流電源を分圧した第２の電源電圧と、前記第１の基板から前記信号線を介して出力された前記駆動信号の電圧を分圧した第２の信号電圧とを比較する第２の比較回路と、
前記第２の比較回路の出力端子と前記電源供給線との間に接続され、前記第２の比較回路による比較結果に対応して点灯する第２の発光ダイオードと、が接続され、
前記電源供給線と前記信号線とが抵抗を介して導通した構成をなしており、
前記電源供給線が断線した場合に前記第１の発光ダイオードのみが点灯し、かつ、前記電源供給線および信号線間が短絡した場合に前記第２の発光ダイオードのみが点灯し、さらに、前記信号線が断線した場合に前記第１および第２の発光ダイオードが点灯するように前記第１および第２の電源電圧ならびに前記第１および第２の信号電圧がそれぞれ設定されていることを特徴とするパチンコ機。
【発明の詳細な説明】
【技術分野】
【０００１】
この発明は、基板間を接続する電源供給線または信号線の断線または短絡を報知することができるパチンコ機に関する。
【背景技術】
【０００２】
従来、始動入賞球スイッチの配線の断線や、遊技球検出スイッチおよび配線間のコネクタ抜けなどを検知するパチンコ機が知られている（特許文献１）。
このものは、始動入賞球スイッチおよびメインＣＰＵ間に第１および第２のコンパレータを備える。また、各コンパレータの非反転入力端子には、始動入賞球スイッチの出力電圧が入力され、第１のコンパレータの反転入力端子には３Ｖの基準電圧が与えられ、第２のコンパレータの反転入力端子には０．５Ｖの判定電圧が与えられる。
【０００３】
第１のコンパレータの比較結果が、遊技球検出スイッチの出力電圧が基準電圧よりも高く、かつ、第２のコンパレータの比較結果が、遊技球検出スイッチの出力電圧が判定電圧よりも高いものである場合、メインＣＰＵは、遊技球の遊技球検出スイッチの通過は無いものと判定する。
一方で、第１のコンパレータの比較結果が、遊技球検出スイッチの出力電圧が基準電圧よりも低く、かつ、第２のコンパレータの比較結果が、遊技球検出スイッチの出力電圧が判定電圧よりも高いものである場合、メインＣＰＵは、遊技球が遊技球検出スイッチを通過したと判定する。
それに対して、第１のコンパレータの比較結果が、遊技球検出スイッチの出力電圧が基準電圧よりも低く、かつ、第２のコンパレータの比較結果が、遊技球検出スイッチの出力電圧が判定電圧よりも低いものである場合、メインＣＰＵは、断線やコネクタ抜けなどが発生したと判定し、遊技球の通過が無かったこととは区別する。こうすることで、断線やコネクタ抜けが、遊技球の遊技球検出スイッチ通過と誤検知されることを防ぎ、誤って遊技球が払出されないようにしている。
【０００４】
【特許文献１】特開２００５−１３１２７６号公報（第４３〜６０段落、図５）
【発明の開示】
【発明が解決しようとする課題】
【０００５】
ところで、パチンコ機では、発光ダイオードなどの電子部品が電気的に接続された駆動基板と、この駆動基板へ電子部品の駆動信号および直流電源を供給する制御基板とを備える。また、制御基板および駆動基板間は、駆動信号を出力するための信号線と、直流電源を供給するための電源供給線とによって接続されている。信号線および電源供給線は、コネクタ端子を介して各基板と接続されている。
しかし、前述の従来のパチンコ機に記載の技術を制御基板および駆動基板間に適用した場合、信号線および電源供給線のどちらが断線した、あるいは、コネクタ端子が外れたのかを特定することができない。このため、信号線および電源供給線の両方を交換しなければならないため、交換に要する手間および費用がかかってしまう。
また、従来の技術では、信号線および電源供給線間の短絡を検出することもできない。
【０００６】
そこでこの発明は、基板間を接続する信号線および電源供給線のどちらが断線したのかを特定することができ、かつ、信号線および電源供給線間の短絡を検出することができるパチンコ機を実現することを目的とする。
【課題を解決するための手段】
【０００７】
この発明は、上記目的を達成するため、請求項１に記載の発明では、駆動信号の出力および直流電源の供給を行う第１の基板（１）と、前記駆動信号を出力するための信号線（４）および前記直流電源を供給するための電源供給線（３）によって前記第１の基板と接続されており、前記第１の基板から前記信号線を介して出力された前記駆動信号および前記第１の基板から前記電源供給線を介して供給された前記直流電源によって電子部品（LED3）を駆動する第２の基板（２）とが備えられており、前記第１の基板には、前記直流電源を分圧した第１の電源電圧（Vref1）と、前記駆動信号の電圧を分圧した第１の信号電圧（Vin1）とを比較する第１の比較回路（Comp1）と、前記第１の比較回路の出力端子と前記電源供給線との間に接続され、前記第１の比較回路による比較結果に対応して点灯する第１の発光ダイオード（LED1）と、が接続されており、前記第２の基板には、前記第１の基板から前記電源供給線を介して出力された前記直流電源を分圧した第２の電源電圧（Vref2）と、前記第１の基板から前記信号線を介して出力された前記駆動信号の電圧を分圧した第２の信号電圧（Vin1）とを比較する第２の比較回路（Comp2）と、前記第２の比較回路の出力端子と前記電源供給線との間に接続され、前記第２の比較回路による比較結果に対応して点灯する第２の発光ダイオード（LED2）と、が接続され、前記電源供給線と前記信号線とが抵抗を介して導通した構成をなしており、前記電源供給線が断線した場合に前記第１の発光ダイオードのみが点灯し、かつ、前記電源供給線および信号線間が短絡した場合に前記第２の発光ダイオードのみが点灯し、さらに、前記信号線が断線した場合に前記第１および第２の発光ダイオードが点灯するように前記第１および第２の電源電圧ならびに前記第１および第２の信号電圧がそれぞれ設定されているパチンコ機という技術的手段を用いる。
【発明の効果】
【０００８】
（請求項１に係る発明の効果）
第１の発光ダイオードのみが点灯することにより、電源供給線が断線したことを知ることができる。
また、第２の発光ダイオードのみが点灯することにより、電源供給線および信号線間が短絡したことを知ることができる。
さらに、第１および第２の発光ダイオードが点灯することにより、信号線が断線したことを知ることができる。
【発明を実施するための最良の形態】
【０００９】
この発明の実施形態に係るパチンコ機について図１を参照しながら説明する。
図１は、この実施形態に係るパチンコ機に備えられたランプ制御基板およびＬＥＤ駆動基板の回路構成の一部を示す回路図である。なお、パチンコ機の外観および機械的構成は、公知のパチンコ機と同一であるため、説明を省略する。また、以下の説明において、断線という場合は、線そのものが断線した場合と、線に接続されたコネクタ端子が外れた場合の両方の場合をいう。
【００１０】
［回路構成］
ＬＥＤ駆動基板２には、演出用発光ダイオードLED3が搭載されている。演出用発光ダイオードLED3は、例えば、パチンコ機の遊技盤や遊技盤の周辺に配置された演出用の発光ダイオードであり、入賞や大当りが発生したときに点灯または点滅する。ＬＥＤ駆動基板２は、ランプ制御基板１と電気的に接続されており、演出用発光ダイオードLED3は、ランプ制御基板１から出力される駆動信号に従って点灯または点滅する。ランプ制御基板１およびＬＥＤ駆動基板２間には、ランプ制御基板１からＬＥＤ駆動基板２へ直流電源を供給するための電源供給線３と、ランプ制御基板１からＬＥＤ駆動基板２へ駆動信号を出力するための信号線４とが電気的に接続されている。電源供給線３および信号線４は、コネクタ端子を介してランプ制御基板１およびＬＥＤ駆動基板２に接続されている。
【００１１】
ランプ制御基板１には、コンパレータComp1が搭載されている。コンパレータComp1の反転入力端子には、直流12Ｖを分割抵抗Ｒ１，Ｒ２によって分圧した基準電圧Vref1が与えられている。また、コンパレータComp1の非反転入力端子には、分割抵抗Ｒ４，Ｒ５によって分圧されたNPN型トランジスタTr1のコレクタ電圧が信号電圧Vin1としてかかっている。コンパレータComp1の出力端子には、接続チェック用発光ダイオードLED1のカソードが接続されている。接続チェック用発光ダイオードLED1は、電源供給線３または信号線４の断線を検出する。接続チェック用発光ダイオードLED1のアノードには、抵抗Ｒ３が直列に接続されている。
【００１２】
トランジスタTr1のベースには、ランプ制御用ＣＰＵ（図示省略）からの駆動（点灯）信号電圧が与えられ、その駆動信号電圧によってトランジスタTr1がオン・オフする。
ＬＥＤ駆動基板２には、コンパレータComp2，Comp3が搭載されている。コンパレータComp2の反転入力端子には、ランプ制御基板１から電源供給線３を介して供給される直流12Ｖを抵抗Ｒ７，Ｒ８によって分圧した基準電圧Vref2が与えられている。また、コンパレータComp2の非反転入力端子には、分割抵抗Ｒ４，Ｒ５によって分割されたＮＰＮ型トランジスタTr1のコレクタ電圧が信号電圧Vin1としてかかっている。
【００１３】
コンパレータComp2の出力端子には、接続チェック用発光ダイオードLED2のカソードが接続されている。接続チェック用発光ダイオードLED2は、信号線４の断線または電源供給線３および信号線４間のショートを検出する。発光ダイオードLED2のアノードには、抵抗Ｒ９が直列に接続されている。コンパレータComp3の非反転入力端子には、直流12Ｖを抵抗Ｒ10，Ｒ11によって分圧した基準電圧Vref3が与えられており、反転入力端子には、分割抵抗Ｒ４，Ｒ５によって分割されたトランジスタTr1のコレクタ電圧が信号電圧Vin1としてかかっている。コンパレータComp3の出力端子には、発光ダイオードLED3のカソードが接続されており、発光ダイオードLED3のアノードには、抵抗Ｒ12が直列に接続されている。
【００１４】
また、電源供給線３および信号線４間には、抵抗Ｒ６および保護ダイオードＤ１がそれぞれ並列に接続されている。なお、図示しないが、ＬＥＤ駆動基板２には、発光ダイオードLED3の他にも演出用の複数の発光ダイオードが搭載されており、各発光ダイオードは、それぞれ発光ダイオードLED3と同じ回路構成にてランプ制御基板１と接続されている。
なお、コンパレータComp1〜Comp3は、電源供給線３から供給される直流12Ｖとは別個の電源（図示せず）から駆動電源の供給を受けている。
【００１５】
この実施形態では、抵抗Ｒ１，Ｒ２，Ｒ３，Ｒ４，Ｒ５，Ｒ６，Ｒ７，Ｒ８，Ｒ９，Ｒ10，Ｒ11，Ｒ12の各抵抗値は、それぞれ10ｋΩ，2.4ｋΩ，1.2ｋΩ，２ｋΩ，6.8ｋΩ，3.6ｋΩ，10ｋΩ，20ｋΩ，1.2ｋΩ，12ｋΩ，10ｋΩ，1.2ｋΩである。また、基準電圧Vref1，Vref2，Vref3は、それぞれ2.3Ｖ，8.0Ｖ，5.45Ｖである。さらに、コンパレータComp1〜Comp3の各信号電圧Vin1は、トランジスタTr1がオンしたとき3.6Ｖであり、トランジスタTr1がオフしているときは、7.8Ｖである。
【００１６】
［回路動作］
（正常時：駆動信号オフ時）
パチンコ機の電源は立ち上がっており、ランプ制御基板１には直流12Ｖが供給されており、その直流12Ｖは、ランプ制御基板１から電源供給線３を介しておよびＬＥＤ駆動基板２へ供給されている。ランプ制御用ＣＰＵからの駆動信号電圧がローレベルのときは、トランジスタTr1はオフ状態を維持し、信号電圧Vin1は7.8Ｖを維持する。このとき、コンパレータComp1は、基準電圧2.3Ｖよりも信号電圧Vin1の7.8Ｖが高いため、コンパレータComp1の出力は、ハイレベルとなり、接続チェック用発光ダイオードLED1は消灯した状態となる。
【００１７】
また、コンパレータComp2は、基準電圧8.0Ｖの方が信号電圧Vin1の7.8Ｖよりも高いため、コンパレータComp2の出力は、ハイレベルとなり、接続チェック用発光ダイオードLED2は消灯した状態となる。また、コンパレータComp3は、基準電圧5.45Ｖよりも信号電圧Vin1の7.8Ｖが高いため、コンパレータComp3の出力は、ハイレベルとなり、演出用の光ダイオードLED3は消灯した状態となる。
【００１８】
（正常時：駆動信号オン時）
ランプ制御用ＣＰＵからの駆動信号電圧がハイレベルに変化すると、トランジスタTr1がオンし、信号電圧Vin1が3.6Ｖに低下する。このとき、コンパレータComp1は、基準電圧2.3Ｖよりも信号電圧Vin1の3.6Ｖの方が高いため、コンパレータComp1の出力は、ハイレベルとなり、接続チェック用発光ダイオードLED1は消灯した状態となる。また、コンパレータComp2は、基準電圧8.0Ｖの方が信号電圧Vin1の3.6Ｖよりも高いため、コンパレータComp2の出力は、ハイレベルとなり、接続チェック用発光ダイオードLED2は消灯した状態となる。また、コンパレータComp3は、基準電圧5.45Ｖよりも信号電圧Vin1の3.6Ｖの方が低いため、コンパレータComp3の出力は、ローレベルとなり、演出用の光ダイオードLED3が点灯する。
【００１９】
（異常時：電源供給線３断線）
図１において符号ａで示す部分において電源供給線３のみが断線すると、コンパレータComp1の信号電圧Vin1が基準電圧よりも低くなるため、コンパレータComp1の出力がハイレベルからローレベルに変化し、接続チェック用発光ダイオードLED1が点灯する。また、コンパレータComp2の信号電圧Vin1は、基準電圧よりも低い状態を維持するため、接続チェック用発光ダイオードLED2は消灯したままとなる。なお、演出用発光ダイオードLED3には、電源が供給されないため、演出用発光ダイオードLED3は消灯する。
【００２０】
つまり、電源供給線３のみが断線した場合は、接続チェック用発光ダイオードLED1のみが点灯するため、接続チェック用発光ダイオードLED1のみが点灯していることを確認することにより、電源供給線３のみが断線したことを容易に把握することができる。
【００２１】
（異常時：信号線４断線）
図１において符号ｂで示す部分において信号線４のみが断線すると、コンパレータComp1の信号電圧Vin1が基準電圧よりも低くなるため、コンパレータComp1の出力がハイレベルからローレベルに変化し、接続チェック用発光ダイオードLED1が点灯する。また、コンパレータComp2の信号電圧Vin1は、基準電圧よりも高くなるため、接続チェック用発光ダイオードLED2が点灯する。さらに、コンパレータComp3の信号電圧Vin1は、基準電圧よりも高くなるため、コンパレータComp3の出力はローレベルからハイレベルに変化し、演出用発光ダイオードLED3は消灯する。
【００２２】
つまり、信号線４のみが断線した場合は、接続チェック用発光ダイオードLED1，LED2が共に点灯するため、接続チェック用発光ダイオードLED1，LED2が共に点灯していることを確認することにより、信号線４のみが断線したことを容易に把握することができる。
【００２３】
（異常時：電源供給線３および信号線４間ショート）
図１において符号ａ，ｂで示す部分において電源供給線３および信号線４間がショートすると、接続チェック用発光ダイオードLED1には電流が流れないため、接続チェック用発光ダイオードLED1は消灯状態を維持する。また、コンパレータComp2の信号電圧Vin1が基準電圧よりも高くなるため、コンパレータComp2の出力は、ハイレベルからローレベルに変化し、接続チェック用発光ダイオードLED2が点灯する。なお、演出用発光ダイオードLED3には、電源が供給されないため、演出用発光ダイオードLED3は消灯する。
【００２４】
つまり、電源供給線３および信号線４間がショートした場合は、接続チェック用発光ダイオードLED2のみが点灯するため、接続チェック用発光ダイオードLED2のみが点灯していることを確認することにより、電源供給線３および信号線４間がショートしたことを容易に把握することができる。
【００２５】
［実施形態の効果］
以上のように、上述の実施形態に係るパチンコ機を使用すれば、接続チェック用発光ダイオードLED1のみが点灯していることを確認することにより、電源供給線３のみが断線したことを容易に把握することができる。
また、接続チェック用発光ダイオードLED1，LED2が共に点灯していることを確認することにより、信号線４のみが断線したことを容易に把握することができる。
従って、電源供給線３および信号線４の断線した方を特定することができるため、断線した方のみを新たな線に交換すれば済むので、交換作業効率を高めることができ、かつ、交換費用を低減することができる。
【００２６】
さらに、接続チェック用発光ダイオードLED2のみが点灯していることを確認することにより、電源供給線３および信号線４間がショートしたことを容易に把握することができる。
つまり、ランプ制御基板１およびＬＥＤ駆動基板２間を接続する電源供給線３および信号線４のどちらが断線したのかを特定することができ、かつ、電源供給線３および信号線４間のショートを検出することができる。
【００２７】
［他の実施形態］
(1)前述の実施形態では、比較回路の一例としてコンパレータを説明したが、トランジスタにより構成された比較回路を用いることもできる。図２は、トランジスタによって構成された比較回路を示す回路図である。PNP型トランジスタTr2，Tr3がコレクタを共通にして並列接続されている。トランジスタTr3のエミッタ側にはNPN型トランジスタTr4のベースが接続されており、トランジスタTr4のエミッタ側には、トランジスタTr5のベースが接続されている。
【００２８】
また、トランジスタTr2のベースには、＋入力電圧(+INPUT)が与えられ、トランジスタTr3のベースには、−入力電圧(-INPUT)が与えられる。トランジスタTr2，Tr3の各エミッタには、直流電源電圧Ｖ＋が与えられている。トランジスタTr2，Tr3の共通のコレクタ側は、抵抗Ｒ13を介して接地されている。また、トランジスタTr5のコレクタ側が出力側(OUTPUT)に設定されている。−入力電圧が＋入力電圧よりも高い場合は、トランジスタTr3〜Tr5がそれぞれオンし、−入力電圧が＋入力電圧よりも低い場合は、トランジスタTr3〜Tr5がそれぞれオフ状態となるようにトランジスタTr2〜Tr5の各オン電圧が設定されている。
【００２９】
(2)前述の実施形態では、ランプ制御基板およびＬＥＤ駆動基板間の接続状態を検出する場合を説明したが、ランプ制御基板およびエラー表示ＬＥＤ基板間の接続状態を検出する場合にも適用することができる。エラー表示ＬＥＤ基板とは、賞球の払出し状態に異常が発生したことなどを報知するためのエラー表示用発光ダイオードが搭載された基板である。
【００３０】
(3)演出用発光ダイオードやエラー表示用発光ダイオードなどの電子部品は、必ずしも基板に搭載された形態でなくてもよく、基板から離れた箇所に配置された形態でもよい。また、電源が供給される側の基板に接続される電子部品は、発光ダイオードの他、入賞検出スイッチ、始動口スイッチなどの各種スイッチ、賞球払出装置によって払出された賞球を検出する賞球払出センサ、発射ハンドルに設けられたタッチセンサなどの各種センサ、大入賞口や普通電動役物を開閉させるソレノイド、発射モータ、図柄表示装置などでもよい。
【図面の簡単な説明】
【００３１】
【図１】この発明の実施形態に係るパチンコ機に備えられたランプ制御基板およびＬＥＤ駆動基板の回路構成の一部を示す回路図である。
【図２】トランジスタによって構成された比較回路を示す回路図である。
【符号の説明】
【００３２】
１・・ランプ制御基板（第１の基板）、２・・ＬＥＤ駆動基板（第２の基板）、
３・・電源供給線、４・・信号線、Comp1・・コンパレータ（第１の比較回路）、
Comp2・・コンパレータ（第２の比較回路）、
LED1・・接続チェック用発光ダイオード（第１の発光ダイオード）、
LED2・・接続チェック用発光ダイオード（第２の発光ダイオード）、
LED3・・演出用発光ダイオード（電子部品）、Vref1・・基準電圧（第１の電源電圧）、
Vref2・・基準電圧（第２の電源電圧）、Vin1・・信号電圧（第１、第２の信号電圧）。
【図１】
0005184045.tif 000002
【図２】
0005184045.tif 000003